【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
第１の画素数又は当該第１の画素数よりも大きい第２の画素数の画像を連続して得る動画モード中に、静止画を撮影可能な撮像装置であって、
静止画の画素数を設定する設定手段と、
前記動画モード中に静止画撮影を指示する指示手段と、
フォーカスレンズの位置を制御することにより、動画モード中に第１の合焦精度で合焦制御する第１の合焦制御と、該第１の合焦精度よりも高い第２の合焦精度で合焦制御する第２の合焦制御とを実行可能な焦点調節手段と、
前記連続して画像を得る際は、前記第１の合焦制御を実行させ、前記指示手段により前記動画モード中に静止画撮影が指示された際は、前記第２の合焦制御を実行させる制御と実行させない制御をする制御手段とを有し、
前記制御手段は、動画の画素数が前記第１の画素数の場合は、前記設定手段により設定された静止画の画素数が第３の画素数よりも大きいとき前記焦点調節手段に前記第２の合焦制御を実行させ、該第３の画素数よりも大きくないとき前記第２の合焦制御を実行させず、動画の画素数が前記第２の画素数の場合は、前記設定手段により設定された静止画の画素数が前記第３の画素数よりも大きい第４の画素数よりも大きいとき前記第２の合焦制御を実行させ、該第４の画素数よりも大きくないとき前記第２の合焦制御を実行させないように制御することを特徴とする撮像装置。
【請求項２】
前記制御手段は、前記指示手段により前記動画モード中に静止画撮影が指示された場合に、動画の画素数に基づいて設定された前記第３の画素数又は前記第４の画素数よりも、前記設定手段により設定された静止画の画素数が大きければ、前記第２の合焦制御を実行させ、前記第３の画素数又は前記第４の画素数よりも大きくなければ、前記第２の合焦制御を実行させないように制御することを特徴とする請求項１に記載の撮像装置。
【請求項３】
前記動画モード中に、前記フォーカスレンズの光軸方向の被写体の移動速度を検出する検出手段を更に有し、
前記制御手段は、前記指示手段により静止画撮影が指示された場合に、更に前記検出手段により検出された光軸方向の被写体の移動速度が予め設定された速度よりも遅い場合に、前記焦点調節手段が前記第２の合焦制御を行わないように制御することを特徴とする請求項１または２に記載の撮像装置。
【請求項４】
前記焦点調節手段は、前記第１の合焦制御を行って得られた合焦度合いが予め設定された合焦度合いよりも高い場合に、低い場合よりも、前記第２の合焦制御のために前記フォーカスレンズを駆動する駆動範囲を狭くすることを特徴とする請求項１乃至３のいずれか１項に記載の撮像装置。
【請求項５】
前記第１の合焦制御で得られた前記フォーカスレンズの合焦位置を、前記第２の合焦制御における前記駆動範囲の中心とすることを特徴とする請求項４に記載の撮像装置。
【請求項６】
フォーカスレンズの移動量及び移動方向を設定する移動量設定手段と、
前記フォーカスレンズを前記移動量設定手段により設定された移動量で往復移動する際に出力される撮像手段からの出力信号に基づいて、合焦状態を示す焦点評価値を算出する算出手段と、
前記算出手段から得られた焦点評価値に基づいて、被写体に合焦する前記フォーカスレンズの移動方向を検出する検出手段とを有し、
前記移動量設定手段は、前記算出手段により算出された焦点評価値及び、前記フォーカスレンズの移動方向の履歴に応じて、前記往復移動する際の移動量及び移動方向を設定し直すことを特徴とする焦点調節装置。
【請求項７】
前記移動量設定手段は、前記焦点評価値が算出される度にその１つ前に算出された焦点評価値と比較し、値が減少した場合に前記フォーカスレンズの移動方向を反転し、予め決められた回数の範囲で同一方向を前記移動方向として決定した場合に、前記移動量を大きくすることを特徴とする請求項６に記載の焦点調節装置。
【請求項８】
前記移動量設定手段は、前記焦点評価値が算出される度にその１つ前に算出された焦点評価値と比較し、値が減少した場合に前記フォーカスレンズの移動方向を反転し、予め決められた回数以上、前記移動方向が連続して反転した場合に、前記移動量を大きくすることを特徴とする請求項６または７に記載の焦点調節装置。
【請求項９】
前記移動量設定手段は、前記焦点評価値が算出される度にその１つ前に算出された焦点評価値と比較し、値が減少した場合に前記フォーカスレンズの移動方向を反転し、予め決められた回数以上、前記フォーカスレンズが同じ移動範囲で反転した場合に、前記移動量を小さくすることを特徴とする請求項６乃至８のいずれか１項に記載の焦点調節装置。
【請求項１０】
前記移動量設定手段は、前記移動方向として無限遠方向を設定した場合に、至近方向の場合よりも前記移動量の変更幅を狭くすることを特徴とする請求項７乃至９のいずれか１項に記載の焦点調節装置。
【請求項１１】
第１の画素数又は当該第１の画素数よりも大きい第２の画素数の画像を連続して得る動画モード中に、静止画を撮影可能な撮像装置の制御方法であって、
設定手段が、静止画の画素数を設定する設定工程と、
指示手段が、前記動画モード中に静止画撮影を指示する指示工程と、
合焦制御手段が、フォーカスレンズの位置を制御することにより、動画モード中に第１の合焦精度で第１の合焦制御をする第１の合焦制御工程と、
前記合焦制御手段が、前記フォーカスレンズの位置を制御することにより、動画モード中に前記第１の合焦精度よりも高い第２の合焦精度で第２の合焦制御をする第２の合焦制御工程と、
制御手段が、前記連続して画像を得る際に前記第１の合焦制御を実行させ、前記指示工程で前記動画モード中に静止画撮影が指示された際に前記第２の合焦制御を実行させる制御と実行させない制御をする制御工程とを有し、
前記制御工程では、動画の画素数が前記第１の画素数の場合は、前記設定工程で設定された静止画の画素数が第３の画素数よりも大きいとき前記第２の合焦制御を実行させ、当該第３の画素数よりも大きくないとき前記第２の合焦制御を実行させず、動画の画素数が前記第２の画素数の場合は、前記設定工程で設定された静止画の画素数が前記第３の画素数よりも大きい第４の画素数よりも大きいとき前記第２の合焦制御を実行させ、当該第４の画素数よりも大きくないとき前記第２の合焦制御を実行させないように制御することを特徴とする制御方法。
【請求項１２】
移動量設定手段が、フォーカスレンズの移動量及び移動方向を設定する移動量設定工程と、
算出手段が、前記フォーカスレンズを前記移動量設定工程で設定された移動量で往復移動する際に出力される撮像手段からの出力信号に基づいて、合焦状態を示す焦点評価値を算出する算出工程と、
前記移動量設定手段が、前記算出工程で算出された焦点評価値及び、前記フォーカスレンズの移動方向の履歴に応じて、前記往復移動する際の移動量及び移動方向を設定し直す再設定工程と、
前記算出手段が、前記フォーカスレンズを前記再設定工程で設定された移動量で往復移動する際に出力される撮像手段からの出力信号に基づいて、合焦状態を示す焦点評価値を算出する再算出工程と、
前記再設定工程と前記再算出工程とを繰り返し実行する反復工程とを有し、
前記反復工程における前記再設定工程では、前記再算出工程で算出された焦点評価値を用いて焦点評価値を算出することを特徴とする焦点調節方法。
【手続補正２】
【補正対象書類名】明細書
【補正対象項目名】０００９
【補正方法】変更
【補正の内容】
【０００９】
本発明は上記問題点を鑑みてなされたものであり、第１の画素数又は当該第１の画素数よりも大きい第２の画素数の画像を連続して得る動画モード中に、静止画を撮影可能な本発明の撮像装置であって、静止画の画素数を設定する設定手段と、前記動画モード中に静止画撮影を指示する指示手段と、フォーカスレンズの位置を制御することにより、動画モード中に第１の合焦精度で合焦制御する第１の合焦制御と、該第１の合焦精度よりも高い第２の合焦精度で合焦制御する第２の合焦制御とを実行可能な焦点調節手段と、前記連続して画像を得る際は、前記第１の合焦制御を実行させ、前記指示手段により前記動画モード中に静止画撮影が指示された際は、前記第２の合焦制御を実行させる制御と実行させない制御をする制御手段とを有し、前記制御手段は、動画の画素数が前記第１の画素数の場合は、前記設定手段により設定された静止画の画素数が第３の画素数よりも大きいとき前記焦点調節手段に前記第２の合焦制御を実行させ、該第３の画素数よりも大きくないとき前記第２の合焦制御を実行させず、動画の画素数が前記第２の画素数の場合は、前記設定手段により設定された静止画の画素数が前記第３の画素数よりも大きい第４の画素数よりも大きいとき前記第２の合焦制御を実行させ、該第４の画素数よりも大きくないとき前記第２の合焦制御を実行させないように制御する。
【手続補正３】
【補正対象書類名】明細書
【補正対象項目名】００１０
【補正方法】変更
【補正の内容】
【００１０】
また、第１の画素数又は当該第１の画素数よりも大きい第２の画素数の画像を連続して得る動画モード中に、静止画を撮影可能な撮像装置の本発明の制御方法は、設定手段が、静止画の画素数を設定する設定工程と、指示手段が、前記動画モード中に静止画撮影を指示する指示工程と、合焦制御手段が、フォーカスレンズの位置を制御することにより、動画モード中に第１の合焦精度で第１の合焦制御をする第１の合焦制御工程と、前記合焦制御手段が、前記フォーカスレンズの位置を制御することにより、動画モード中に前記第１の合焦精度よりも高い第２の合焦精度で第２の合焦制御をする第２の合焦制御工程と、制御手段が、前記連続して画像を得る際に前記第１の合焦制御を実行させ、前記指示工程で前記動画モード中に静止画撮影が指示された際に前記第２の合焦制御を実行させる制御と実行させない制御をする制御工程とを有し、前記制御工程では、動画の画素数が前記第１の画素数の場合は、前記設定工程で設定された静止画の画素数が第３の画素数よりも大きいとき前記第２の合焦制御を実行させ、当該第３の画素数よりも大きくないとき前記第２の合焦制御を実行させず、動画の画素数が前記第２の画素数の場合は、前記設定工程で設定された静止画の画素数が前記第３の画素数よりも大きい第４の画素数よりも大きいとき前記第２の合焦制御を実行させ、当該第４の画素数よりも大きくないとき前記第２の合焦制御を実行させないように制御する。
【手続補正４】
【補正対象書類名】明細書
【補正対象項目名】００１２
【補正方法】変更
【補正の内容】
【００１２】
また、本発明の一様態によれば、本発明の焦点調節方法は、移動量設定手段が、フォーカスレンズの移動量及び移動方向を設定する移動量設定工程と、算出手段が、前記フォーカスレンズを前記移動量設定工程で設定された移動量で往復移動する際に出力される撮像手段からの出力信号に基づいて、合焦状態を示す焦点評価値を算出する算出工程と、前記移動量設定手段が、前記算出工程で算出された焦点評価値及び、前記フォーカスレンズの移動方向の履歴に応じて、前記往復移動する際の移動量及び移動方向を設定し直す再設定工程と、前記算出手段が、前記フォーカスレンズを前記再設定工程で設定された移動量で往復移動する際に出力される撮像手段からの出力信号に基づいて、合焦状態を示す焦点評価値を算出する再算出工程と、前記再設定工程と前記再算出工程とを繰り返し実行する反復工程とを有し、前記反復工程における前記再設定工程では、前記再算出工程で算出された焦点評価値を用いて焦点評価値を算出する。